(57)【要約】【課題】少なくとも車両幼児拘束具への応用において、幼児が直立して座る種類の車両幼児拘束具の中で眠っている幼児の頭部が移動するという問題を少なくとも部分的に軽減することである。【解決手段】本体と、本体から突出し、概ね対向する内側面の間に人の頭部を収容するために離隔配置される１対のサイドウィングとを備えるヘッドレスト組立体。組立体は、サイドウィングに取り付けられ、サイドウィングに隣接する格納状態と、人の頭部がサイドウィングの間に収容される場合、下顎および／または顎に支持を提供するようにサイドウィングが配置される延出および傾斜状態との間で移動する、対向する下顎支持部材と、各下顎支持部材を少なくともそれらの格納状態から延出状態へ移動させるように操作可能である、下顎支持部材から分離した、手動で操作可能なアクチュエータをそれぞれが含む、共通の、またはそれぞれの機構とを更に備える。【選択図】図１
2017081555.tif 000002
【特許請求の範囲】
【請求項１】
本体と、
前記本体から突出し、概ね対向する内側面の間に人の頭部を収容するために離隔配置される１対のサイドウィングと、
前記各サイドウィングに取り付けられ、前記サイドウィングに隣接する格納状態と、人の頭部が前記サイドウィングの間に収容された場合、下顎および／または顎に支持を提供するように前記サイドウィングが配置される延出および傾斜状態との間を移動する、対向した下顎支持部材と、
前記各下顎支持部材を少なくともそれぞれの格納状態から延出状態へ移動させるように操作可能である、前記下顎支持部材から分離した、手動で操作可能なアクチュエータをそれぞれが含む、共通の、またはそれぞれの機構と
を備えるヘッドレスト組立体。
【請求項２】
前記共通の、またはそれぞれの機構が、前記各下顎支持部材を少なくともそれらの各格納状態から延出状態へ別々に、かつ個々に移動させるように操作可能である別々の機構を備えた、請求項１に記載のヘッドレスト組立体。
【請求項３】
前記各下顎支持部材が、前記ヘッドレスト組立体が通常の作動位置にある場合に、後方および下方へ傾斜している前記下顎支持部材の上方縁部または上方面に隣接する軸線を中心として、その格納状態と延出状態との間で枢動運動するように取り付けられた、請求項１に記載のヘッドレスト組立体。
【請求項４】
前記下顎支持部材の一方または両方が、前部の高さが後部の高さよりも高い、請求項３に記載のヘッドレスト組立体。
【請求項５】
各下顎支持部材が、延出状態で下顎および／または顎に接触する面を画定するパッドを含む、請求項１に記載のヘッドレスト組立体。
【請求項６】
前記機構または各前記機構が、例えば前記格納状態に対して異なる角度位置で、複数の延出および傾斜状態を画定するように構成された、請求項１に記載のヘッドレスト組立体。
【請求項７】
前記複数の延出状態が、割り出し配置上の各位置によって画定された、請求項６に記載のヘッドレスト組立体。
【請求項８】
前記割り出し配置上の各前記位置が、前記下顎支持部材に対する所定の力によって、前記下顎支持部材をその格納状態に向かって戻るように移動させる、請求項７に記載のヘッドレスト組立体。
【請求項９】
幼児が概ね直立して座る種類の車両用幼児拘束具の中で使用するために寸法成形され、構成された、請求項１に記載のヘッドレスト組立体。
【請求項１０】
請求項１〜９のいずれか一項に記載のヘッドレスト組立体を含むシートシェルまたはフレームを備える車両用幼児拘束具であって、前記ヘッドレスト組立体の前記本体が前記シートシェルまたはフレームと一体であり、あるいは前記ヘッドレスト組立体が前記シートシェルまたはフレームに取り付けられた、車両用幼児拘束具。
【請求項１１】
前記ヘッドレスト組立体が前記シートシェルまたはフレームに取り付けられ、異なる身長の幼児らを収容するために、または幼児が成長するにつれて前記幼児を収容するために垂直に調節可能である、請求項１０に記載の車両用幼児拘束具。
【請求項１２】
移動車両用の乗員拘束具であって、前記拘束具が、
第１のサイドウィングと、前記第１のサイドウィングに関して離隔されて存在するように配置された第２のサイドウィングと、前記第１のサイドウィングと前記第２のサイドウィングとの間に延在し、前記第１のサイドウィングおよび前記第２のサイドウィングと協働してその間に頭部受け空間を画定するように配置されたバックプレートとを含むヘッドレストと、
前記乗員拘束具の乗員の下顎の第１の側部に対する支持を提供するために、前向きに傾いている傾斜した第１のパッドの枢動軸線を中心として、前記第２のサイドウィングに向かって、前記第１のサイドウィングに沿った格納位置から、前記第１のサイドウィングから離れた延出および傾斜位置まで枢動可能に移動するように、前記第１のサイドウィング上に取り付けられた第１の下顎支持パッドと、
前記乗員拘束具の前記乗員の下顎の反対側の第２の側部に対する支持を提供するために、前向きに傾いている傾斜した第２のパッドの枢動軸線を中心として、前記第１のサイドウィングに向かって、前記第２のサイドウィングに沿った格納位置から、前記第２のサイドウィングから離れた延出および傾斜位置まで枢動可能に移動するように、前記第２のサイドウィング上に取り付けられた第２の下顎支持パッドと
を備えた、乗員拘束具。
【請求項１３】
前記第１のサイドウィングに連結され、前向きに傾いている傾斜した第１のパッドの枢動軸線を中心として、前記格納位置から前記延出および傾斜位置まで前記第１の下顎支持パッドを移動させるように構成される第１のパッド移動機と、前記第２のサイドウィングに連結され、前向きに傾いている傾斜した第２のパッドの枢動軸線を中心として、前記格納位置から前記延出および傾斜位置まで第２の下顎支持パッドを移動させるように構成される第２のパッド移動機とを更に備えた、請求項１２に記載の乗員拘束具。
【請求項１４】
所定の力を超えるパッド格納力が前記乗員拘束具の乗員の移動する頭部によって前記第１の下顎支持パッドに加えられるまで、前記第１のパッド移動機が、前記第１の下顎支持パッドを前記延出および傾斜位置に維持するための手段を提供するように構成され、パッド格納力が加えられたことによって、前記第１の下顎支持パッドが、前向きに傾いている傾斜した第１のパッドの枢動軸線を中心として、前記格納位置に向かって枢動する、請求項１３に記載の乗員拘束具。
【請求項１５】
所定の力を超えるパッド格納力が前記乗員拘束具の乗員の移動する頭部によって前記第２の下顎支持パッドに加えられるまで、前記第２のパッド移動機が、前記第２の下顎支持パッドを前記延出および傾斜位置に維持するための手段を提供するように構成され、パッド格納力が加えられたことによって、前記第２の下顎支持パッドが、前向きに傾いている傾斜した第２のパッドの枢動軸線を中心として、前記格納位置に向かって枢動する、請求項１４に記載の乗員拘束具。
【発明の詳細な説明】
【技術分野】
【０００１】
本発明は、全体的にヘッドレストに関する。本発明は、限定的ではないが、特に車両内で採用される幼児拘束具のためのヘッドレストへの応用を含む。
【背景技術】
【０００２】
車両幼児拘束具の一般的な形態は、組込みハーネスを含むシートである。シートは通常、車両ラップサッシュベルト、テザーアンカレッジ点までのトップテザーストラップ、及び、一対のアイソフィックス（ＩＳＯＦＩＸ）アンカレッジのうちの２つ以上により定位置に固定される。より年長の幼児は、いわゆる補助いすの中に収容されることが可能であるが、補助いすは組込みハーネスを含まず、したがって、トップテザーまたはＩＳＯＦＩＸアンカレッジ取付け部が設けられる場合でも、ラップサッシュシートベルトを用いて使用されなければならない。
【０００３】
近年、例えば、隣接するドアまたは他の幼児によって、あるいは他の車両または車両側部上に衝撃を与える物体によって発生する側部の衝撃から幼児の頭部をより十分に保護することを提供するために、ハーネスシートおよび補助いすなど、幼児拘束具の修正形態に注意が向けられてきた。この目的のために、幼児の頭部をその間に収容するために離隔配置されたパッド入りサイドウィングを含む、改良されたヘッドレストが提供されてきた。例えば、ハーネスの肩の高さを調節することによって、幼児拘束具が異なる寸法の幼児に対して調節可能である場合、次いでこれらのヘッドレストは、幼児の頭部に対して最適な保護を提供するように調節可能でなければならない。
【０００４】
すべての親および介護者は、幼児が直立して座る幼児拘束具に伴うやはり共通の問題、すなわち幼児が寝入る場合、幼児の頭部が前方に倒れ、かつ寝返りを打つという傾向をよく知っている。いくつかの幼児拘束具は、この問題に対処する目的でシートリクライニング設備を備え付けた。これは、幼児の頭部が後ろに傾斜した状態に留まる機会を増加させることによって部分的な解決策を提供するが、しかし、後ろにリクライニングされた位置を収容するために必要な底面が拘束基部の嵩を増やすという不都合な点がある。車内の他の幼児が幼児拘束具を通り過ぎてはい回ることができ、かつそれによって「間違った」側部から車両から降りる、または車両に乗ることを回避することができるために、前方のシートから十分な隙間があること望ましい。前述のヘッドレストの導入は、幼児が寝入っている場合、頭部の移動の側方範囲に限定されてきたが、しかし頭部が前方へ揺動し、うなだれるという問題が依然として残っている。運転者または前方シートの乗員が、幼児の頭部の移動を当然ながら心配するために、時折、幼児を後方へ押そうとするであろうが、しかしこの行為自体が運転者の場合、安全上問題である。
【発明の概要】
【発明が解決しようとする課題】
【０００５】
本発明の目的は、少なくとも車両幼児拘束具への応用において、幼児が直立して座る種類の車両幼児拘束具の中で眠っている幼児の頭部が移動するという問題を少なくとも部分的に軽減することである。
【０００６】
本明細書の中で任意の先行技術に対する参照は、この従来技術が任意の司法権における共通の一般的知識の部分を形成するという承認または提言ではなく、あるいはこの従来技術が、当業者によって従来技術の他の部分と関連があり、および／または組み合わされると理解され、見なされるはずであると合理的に期待され得るという承認または提案ではない。
【課題を解決するための手段】
【０００７】
前述の問題は、幼児の顔の各側部で、延出可能な下顎および／または顎支持を提供するために、ヘッドレストの適応によって本発明により対処される。この適応は、幼児拘束具シートの中で幼児が寝入る場合、幼児の頭部が一般的に前方へ倒れ、左または右のどちらかに幾分傾くという観察に起因する。
【０００８】
詳細には、本発明は、
本体と、
本体から突出し、概ね対向する内側面の間に人の頭部を収容するために離隔配置される１対のサイドウィングと、
各サイドウィングに取り付けられ、サイドウィングに隣接する格納状態と、人の頭部がサイドウィングの間に収容された場合、下顎および／または顎に支持を提供するようにサイドウィングが配置される延出および傾斜状態との間を移動する、対向した下顎支持部材と、
各下顎支持部材を少なくともそれぞれの格納状態から延出状態へ移動させるように操作可能である、下顎支持部材から分離した、手動で操作可能なアクチュエータをそれぞれが含む、共通の、またはそれぞれの機構と
を備えるヘッドレスト組立体を提供する。
【０００９】
好適には、別々の機構が、各下顎支持部材を少なくともそれらの格納状態から延出状態へ別々に、かつ個々に移動させるように操作可能である。
【００１０】
好適には、各下顎支持部材が、ヘッドレスト組立体が通常の作動位置にある場合、後方および下方へ傾斜している下顎支持部材の上方縁部または上方面に隣接する軸線を中心として、その格納状態と延出状態との間で枢動運動するように取り付けられる。そのように取り付けられる下顎支持部材が、典型的には、その後部の高さよりも高い前部の高さを含む。この配置は、人の頭部を支持し、それを概ね直立した位置に維持することの両方において効果的であることが発見された。
【００１１】
好適には、各下顎支持部材が、延出状態で下顎および／または顎に接触する面を画定するパッドを含む。
【００１２】
各機構が、例えば、格納状態に対して異なる角度位置で、複数の延出および傾斜状態を画定するように構成され得る。これらの複数の延出状態が、割り出し配置上の各位置によって画定され得る。更に好適には、割り出し配置上の各位置が、下顎支持部材に対する所定の力によって、下顎支持部材をその格納状態に向かって戻るように移動させるようにすることが可能である。このようにして、下顎支持部材を容易に格納し、同時に、衝突の場合には、各下顎支持部材が最適な保護的格納状態に戻ることを保証することが提供される。
【００１３】
本発明の特に有益な応用では、ヘッドレスト組立体は、幼児が概ね直立して座る種類の車両用幼児拘束具の中で使用するために寸法成形され、構成される。したがって、本発明は、一実施形態の中で、前述のヘッドレスト組立体を含むシートシェルまたはフレームを備える車両用幼児拘束具を更に提供し、ヘッドレスト組立体の本体がシートシェルまたはフレームと一体であり、あるいはヘッドレスト組立体がシートシェルまたはフレームに取り付けられる。後者の場合、有利なことに、ヘッドレスト組立体が、異なる身長の幼児を収容するために、または幼児が成長するにつれて幼児を収容するために垂直に調節可能であることができる。
【００１４】
ヘッドレスト本体が、１対の離隔配置されたサイドウィングの間に配置されるバックプレートを備えることができる。
【００１５】
例示的な実施形態では、下顎支持手段が、サイドウィングに対して移動するように取り付けられる。下顎支持手段は、下顎支持パッドを含むことができる。各パッドが、幼児拘束具の中に座る幼児がパッドの一方の上に彼らの下顎を休めることができるように、内側に延出するように移動されることができ、その結果、幼児は、眠っている間に彼らの頭部に対する支持を得る。第１の下顎支持パッドは、前向きに傾いている傾斜した第１のパッドの枢動軸線を中心として、第２のサイドウィングに向かって、第１のサイドウィングに沿った格納位置から、第１のサイドウィングから離れた延出および傾斜位置まで枢動可能に移動するように、第１のサイドウィング上に取り付けられる。第２の下顎支持パッドは、前向きに傾いている傾斜した第２のパッドの枢動軸線を中心として、第１のサイドウィングに向かって、第２のサイドウィングに沿った格納位置から、第２のサイドウィングから離れた延出および傾斜位置まで枢動可能に移動するように、第２のサイドウィング上に取り付けられる。
【００１６】
例示的な実施形態では、機構が、下顎支持部材を移動させるように作動可能であり、ヘッドレストに連結されるシートの中に座る乗員の頭部が、所定の力を超えるパッド格納力を加えるように移動して、下顎支持パッドをその格納位置に向かって枢動させるまで、パッド枢動軸線を中心として下顎支持パッドを移動させ、下顎支持パッドを選択された延出および傾斜位置に維持するように構成される。
【００１７】
本明細書で使用される場合、文脈がそうではないと要求する場合を除いて、「備える（ｃｏｍｐｒｉｓｅ）」という用語、および「備えている（ｃｏｍｐｒｉｓｉｎｇ）」、「備える（ｃｏｍｐｒｉｓｅｓ）」および「備えた（ｃｏｍｐｒｉｓｅｄ）」などのその用語の変化形は、他の付加物、構成要素、整数またはステップを除外するように意図されるのではない。
【００１８】
次いで、本発明は、実施例としてのみ、添付の図面を参照してより詳細に説明されることになる。
【図面の簡単な説明】
【００１９】
【図１】本発明の実施形態によるヘッドレスト組立体の正面図であり、各下顎支持部材が完全に格納された状態の図である。
【図２】図１と同様の図であるが、延出状態の一方のサイドウィング上の下顎支持部材を示す図である。
【図３】ヘッドレスト組立体の分解正面斜視図である。
【図４】図３に相当する分解背面斜視図である。
【図５】各下顎支持部材をその格納状態からその延出状態に移動させるように作動可能な類似の機構の一方の断片的な図である。
【図６】そのカバー上の原位置の機構の部分図であり、カバーの内部から見た、連続的作動位置で示す図である。
【図７】そのカバー上の原位置の機構の部分図であり、カバーの内部から見た、連続的作動位置で示す図である。
【図８】そのカバー上の原位置の機構の部分図であり、カバーの内部から見た、連続的作動位置で示す図である。
【図９】図１〜図４のヘッドレストを嵌め込まれた幼児拘束具シートシェルの正面斜視図である。
【発明を実施するための形態】
【００２０】
図示のヘッドレスト組立体１０の全体的な構造および構成が、添付の図面の図１、図３および図４から最もよく理解される。ヘッドレスト組立体は、適切に硬く、丈夫なプラスチック材料の成形されたシェル１２の形態の本体を含む。シェル１２は、原位置で略垂直に延在するバックプレート部分１４、およびバックプレート１４の直立した側縁部から一体に突出し、サイドウィングの概ね対向する内側面２２、２３の間に幼児の頭部を収容するために離隔配置される１対のサイドウィング２０、２１を含む。サイドウィングは湾曲したコーナー領域２４、２５でバックプレート部分１４に併合し、バックプレート部分１４およびサイドウィング２０、２１の両方の外側の周囲に延在する複数の離隔配置された浅いリブ１６によって、剛性がもたらされる。
【００２１】
サイドウィング２０、２１は、平行ではなく、浅い角度で、この場合は約２０°で外側に広がる。この角度は、もちろん変えることができる。各サイドウィングは、上側、正面側および底部側に沿って部分的に湾曲して延在する連続的縁部２６によって境界を画する。縁部２６は、内側面２２、２３に対して略垂直に位置する外側フランジ２８を担持し、それぞれ適切に成形され、縁取られたカバー３０、３１によってサイドウィングの外側上に閉鎖されるチャンバ２５をその内部に画定する。各カバー３０、３１は、フランジ２８に密接に嵌合する周囲のリップ３３によって輪郭成形される成形された部品である。カバー３０、３１は、カバー内の各穴３２を成型されたシェル１２上のネジ付一体型ソケット３３（図４）に係合するネジ（図示せず）によって後部で定位置に固定される。
【００２２】
図９は、組込みハーネスを含み、ヘッドレスト組立体１０がシートのシェルに調節可能に取り付けられている直立したシート１００の形態の車両用幼児拘束具シェルを図示する。ヘッドレストのそのような垂直の調節によって、異なる身長の幼児が正しい高さでヘッドレストによってシート内に適切に収容されることが可能になり、または特定の幼児によって使用されるシートが、幼児が成長するにつれて調節されることが可能になる。調節機構は、典型的にはヘッドレスト組立体の後部上にあるが、しかし、図４の背面図はこの調節機構を示さず、１対の垂直に位置合わせされた回転可能なクランクロッド２７だけを示し、クランクロッド２７は、バックプレート１４の上部で細長いボタン２９を押すことによって回転される。このボタン２９を押すことによって、クランクロッド２７が回転して、係止装置を解除し、それによってヘッドレストが上方または下方へ、典型的にはハーネスの複数の可能な位置に合致する割り出された位置まで移動されることが可能になる。
【００２３】
理解されるように、ヘッドレスト組立体は、最終的な製品を形成するために、適切な織物および軽量詰め物を取り付けられる。
【００２４】
サイドウィング２０、２１の内側面２２、２３は、それぞれ１対の詰め物部材またはクッション、すなわち上方の固定または固定されたクッション３５および下方の調節可能な下顎支持パッド３６を据え付ける。固定されたクッション３５は、前部でよりも後部で垂直方向により長く、一方、下顎支持パッド３６は、反対に、後部でよりも前部で垂直方向により長い。したがって、それらは相補的であり、後方および下方へ約２０°〜３０°で傾斜する、平行に対向する縁部面３５ａ、３６ａの間に離隔配置される。固定されたクッション３５は、バックプレート１４に固定された適切な内側フレーム（図示せず）によって、サイドウィング面２２、２３から突き出て配置される。
【００２５】
各下顎支持パッド３６は、バックプレート３７に固定される。今度は各バックプレート３７が、クッション３５の縁部面３５ａおよびパッド３６の縁部面３６ａに平行に延在する傾斜した肩部２２ｂ、２３ｂによって画定される内側面２２、２３の補完的な浅い凹部２２ａ、２３ａの中に略同一平面に据わる。円柱形ロッド部分４１、および間にある結合ウェブ４２をそれぞれ備える１対の突出部４０が、肩部２２ｂ、２３ｂの中の各スロットを通って配置され、定位置に保持されるが、一方で、隣接するカバー３０、３１の内側面上の各止め具４４によって回転可能である。これらの止め具４４の外側縁部は、ロッド部分４１に一致し、ロッド部分４１を着座させるために凹形輪郭形状を含む。
【００２６】
このようにして、下顎支持パッド３６は、ロッド部分４１の傾斜した共通の軸線上で、サイドウィング２０、２１に隣接し、位置合わせされた完全に格納された状態と、完全に格納された状態に対して４５°まで、サイドウィングの外側に向かって、変化する回転位置に延出および傾斜した複数の状態との間で回転することができる。これらの延出状態の１つが、図２に図示されている。１つまたは複数の延出状態では、幼児の頭部がサイドウィング２０、２１の間に収容される場合、下顎支持パッドが、幼児の頭部に対して下顎および／または顎支持を提供するように配置される。したがって、下顎支持パッド３６が、それぞれ前向きに傾いている、水平ではない枢動軸線を中心として、対向するサイドウィングに向かって枢動する。軸線は、平行ではない。
【００２７】
各下顎支持パッド３６をそれらの格納状態からそれらの延出状態まで移動させるために、各機構５０が、サイドウィング２０、２１に設けられる。各機構は、連結される下顎支持パッドから分離した、手動で操作可能なレバーアクチュエータ５２、および下顎支持部材の複数の選択可能な延出された位置を画定する割り出し配置を含み、延出された位置では、パッド３６上の所定の力が、下顎支持パッドを格納状態に移動させるために有効となるであろう。
【００２８】
機構５０は、図６〜図８の中の原位置で最もよく分かるが、一方、その別個の構成要素が図３および図４の分解図の中で別々に示される。組み立てられた機構が、図５の別個の図面の中に単独で示される。各機構５０は、各カバー３０、３１上に取り付けられ、２つの取付け形態、すなわちカバーの外側上部コーナーに隣接するカバーの外側面内に取り囲まれた窪み５４、および外側底部コーナーで内側面２２、２３上の一体型ブラケット５６を備え付ける。機構は、窪み５４の周囲壁の中の各穴５８ａ、５８ｂ、およびブラケット５６の基部壁の中の穴５８ｃを通って垂直に延在する、Ｄ字形部分またはその他のキー付きシャフト５８上に全体に組み立てられる。
【００２９】
シャフト５８は、並進移動に対して係止され、窪み５４の中に嵌合するように成形されるレバーアクチュエータ５２を担持し、その結果、レバーアクチュエータ５２が手で容易に把持され、シャフトを回転させるために外側に引っ張られることを可能にする。次いでこの行為が、下顎支持バックプレート３７の後部に接触するように、隣接するサイドウィング２０、２１の中の穴６２を通って突出するＬ字形パドル６０を回転させる。したがって、レバーアクチュエータ５２が引っ張られる場合、パドル６０が回転されて（図７）、プレート３７を押し、その結果、下顎支持パッド３６が、そのロッド部材４１によって画定される傾斜した軸線上で外側に回転する（図２）。図６〜図８は、レバーアクチュエータが引っ張られるにつれて、機構の連続的配置を示す。
【００３０】
ばね搭載の割り出し機構が、シャフト５８上にパドル６０の下に設けられる。歯付戻り止めディスク６６が、カバーの内側壁に固定されたブラケット６８上のｖ字形部分の歯に対して相補的であるｖ字形部分の上方環状リムを含む。戻り止めディスク６６は、ディスク６６上の盲孔とシャフト上のカラー７２との間に、シャフト５８によって担持されるらせん状圧縮ばね７０によって、ブラケットの歯と係合するように付勢される。手動レバーアクチュエータ５２が、十分な力によって回転されてばね力に打ち勝つ場合、戻り止めディスク６６が、ブラケット６８の歯に沿って割り出し、その結果、係合された位置の各歯が、下顎支持パッド３６の割り出された位置を画定する。逆に、眠っている幼児の顔が下顎支持パッドによって支持されている場合、下顎支持パッド３６が格納しないように、ばね７０は設定されるが、しかし、手によって意図的に、または衝突中に、下顎支持パッドに対して十分な力が加えられ、パドル６０が後ろに押されると、戻り止めディスク６６は、下顎支持パッドが格納することができるように逆に割り出し、レバーアクチュエータ５２が回転してその窪みの中に戻る。
【００３１】
説明されるヘッドレストは、有利なことに、幼児拘束具の中に座って眠っている幼児のために頭部支持を提供するという問題に対処する。各下顎支持パッドは、幼児が眠っている間にその頭部が前方または側方に垂れる傾向がある、幼児の下顎および／または顎を支持するために、選択的位置の範囲で独立して移動可能である。各下顎支持パッドの先が細くなって、傾斜した形状が、頭部を支持し、かつ頭部を後方へ傾けることの両方に役立つ。下顎支持パッドを延出するための機構は、簡単なレバーの手動の駆動を含み、各割り出された位置で、割り出し機構のばね力に打ち勝つことによってその格納状態に容易に戻ることができる。
【００３２】
本明細書で開示され、定義される本発明が、言及され、あるいは本文または図面から明らかである２つ以上の個々の特徴のすべての代替の組合せに及ぶことを理解されたい。これらの異なる組合せのすべてが、本発明の様々な代替の態様を構成する。
【符号の説明】
【００３３】
１０  ヘッドレスト組立体
１２  シェル
１４  バックプレート部分（バックプレート）
１６  リブ
２０  サイドウィング
２１  サイドウィング
２２  内側面（サイドウィング面）
２２ａ  凹部
２２ｂ  肩部
２３  内側面（サイドウィング面）
２３ａ  凹部
２３ｂ  肩部
２４  コーナー領域（チャンバ）
２５  コーナー領域（チャンバ）
２６  縁部
２７  クランクロッド
２８  フランジ
２９  ボタン
３０  カバー
３１  カバー
３２  穴
３３  リップ（一体型ソケット）
３５  クッション
３５ａ  縁部面
３６  下顎支持パッド
３６ａ  縁部面
４０  突出部
４１  円柱形ロッド部分（ロッド部材）
４２  結合ウェブ
４４  止め具
５０  機構
５２  レバーアクチュエータ
５４  取り囲まれた窪み
５６  一体型ブラケット
５８  シャフト
５８ａ  穴
５８ｂ  穴
５８ｃ  穴
６０  パドル
６２  穴
６６  戻り止めディスク
６８  ブラケット
７０  ばね
７２  カラー
【図１】
2017081555.tif 000003
【図２】
2017081555.tif 000004
【図３】
2017081555.tif 000005
【図４】
2017081555.tif 000006
【図５】
2017081555.tif 000007
【図６】
2017081555.tif 000008
【図７】
2017081555.tif 000009
【図８】
2017081555.tif 000010
【図９】
2017081555.tif 000011